(57)【要約】  基地局とユーザ装置とを備える移動通信システムにおける前記ユーザ装置において、前記基地局から、第１の最大送信電力値と第２の最大送信電力値を含む第１のシステム情報と、第１のシグナリング値と第２のシグナリング値を含む第２のシステム情報を受信する受信手段と、前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定する制御手段とを備える。
2016056556.tif 000002
【特許請求の範囲】
【請求項１】
基地局とユーザ装置とを備える移動通信システムにおける前記ユーザ装置であって、
前記基地局から、第１の最大送信電力値と第２の最大送信電力値を含む第１のシステム情報と、第１のシグナリング値と第２のシグナリング値を含む第２のシステム情報を受信する受信手段と、
前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定する制御手段と
を備えることを特徴とするユーザ装置。
【請求項２】
前記制御手段は、前記第２のシステム情報に含まれる前記第２のシグナリング値が、前記ユーザ装置の在圏するセルにおける送信条件として規定されている値であると判定しない場合に、前記第１の最大送信電力値を前記セルにおいて使用する最大送信電力値として決定する
ことを特徴とする請求項１に記載のユーザ装置。
【請求項３】
前記送信条件は、Ａ−ＭＰＲの適用可否を含むことを特徴とする請求項１又は２に記載のユーザ装置。
【請求項４】
前記第１のシステム情報はＳＩＢ１であり、前記第２のシステム情報はＳＩＢ１又はＳＩＢ２であることを特徴とする請求項１ないし３のうちいずれか１項に記載のユーザ装置。
【請求項５】
前記制御手段は、前記第２のシステム情報に含まれる複数のシグナリング値の中で、前記ユーザ装置が適用可能なシグナリング値のうち、優先度の最も高いシグナリング値を前記第２のシグナリング値として選択し、当該第２のシグナリング値に対応する前記第２の最大送信電力値を前記セルにおいて使用する最大送信電力値として決定する
ことを特徴とする請求項１ないし４のうちいずれか１項に記載のユーザ装置。
【請求項６】
基地局とユーザ装置とを備える移動通信システムにおける前記ユーザ装置であって、
前記基地局から、複数のシグナリング値と、当該複数のシグナリング値のそれぞれに対応する複数の最大送信電力値とを含むシステム情報を受信する受信手段と、
前記システム情報に含まれる複数のシグナリング値のうちの１つのシグナリング値を選択し、当該シグナリング値に対応する最大送信電力を用いてセル選択又はセル再選択を実行する制御手段と
を備えることを特徴とするユーザ装置。
【請求項７】
基地局とユーザ装置とを備える移動通信システムであって、
前記基地局は、
第１の最大送信電力値と第２の最大送信電力値を含む第１のシステム情報と、第１のシグナリング値と第２のシグナリング値を含む第２のシステム情報を送信するための送信手段を備え、
前記ユーザ装置は、
前記基地局から、前記第１のシステム情報と、前記第２のシステム情報を受信する受信手段と、
前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定する制御手段と、を備える
ことを特徴とする移動通信システム。
【請求項８】
基地局とユーザ装置とを備える移動通信システムにおける前記ユーザ装置が実行する最大送信電力決定方法であって、
前記基地局から、第１の最大送信電力値と第２の最大送信電力値を含む第１のシステム情報と、第１のシグナリング値と第２のシグナリング値を含む第２のシステム情報を受信するステップと、
前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定するステップと
を備えることを特徴とする最大送信電力決定方法。
【請求項９】
基地局とユーザ装置とを備える移動通信システムにおいて実行される最大送信電力決定方法であって、
前記基地局が、第１の最大送信電力値と第２の最大送信電力値を含む第１のシステム情報と、第１のシグナリング値と第２のシグナリング値を含む第２のシステム情報を送信するステップと、
前記ユーザ装置が、前記基地局から、前記第１のシステム情報と、前記第２のシステム情報を受信するステップと、
前記ユーザ装置が、前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定するステップと、
を備えることを特徴とする最大送信電力決定方法。
【発明の詳細な説明】
【技術分野】
【０００１】
本発明は、移動通信システムのユーザ装置における最大送信電力を決定する技術に関連するものである。
【背景技術】
【０００２】
ＬＴＥ（Ｌｏｎｇ Ｔｅｒｍ Ｅｖｏｌｕｔｉｏｎ）方式では、同一地域で利用される無線システムに対して、干渉を与えないように、帯域外輻射規定等が設けられている。一般に、本規定は、各国の国内法規にて定められているものであり、通信事業者は、この規格に基づく無線システムを運用することが求められる。【０００３】
一方で、帯域の利用方法やそのシステム種別によっては、隣接システムへの許容干渉レベルに対して、十分な減衰を得ることができないケースが想定される。【０００４】
特に、ＬＴＥでは、広帯域送信となり、Ｓｐｕｒｉｏｕｓによるノイズが、より離れた周波数に高いレベルで届きやすいため、デュプレクサ等のアナログデバイスによる抑圧では、当該規定を満たすことが現実的ではない場合がある。【０００５】
このような場合に対応するために、ＬＴＥ方式では、ユーザ装置ＵＥの送信電力をＲＢ（リソースブロック）の送信位置や数に応じて低減してよいように規定がなされている。ここで、許容可能な送信電力の最大低減量は、「Ａ−ＭＰＲ（Ａｄｄｉｔｉｏｎａｌ−Ｍａｘｉｍｕｍ Ｐｏｗｅｒ Ｒｅｄｕｃｔｉｏｎ）」 として規定されている（非特許文献１参照）。【０００６】
ただし、保護すべき無線システムが各国、各地域に常に存在するわけではないので、当該Ａ−ＭＰＲは、ＮＷ（基地局ｅＮＢ）から特定の信号「ＮＳ（Ｎｅｔｗｏｒｋ Ｓｉｇｎａｌｉｎｇ）  ｖａｌｕｅ」（以下、ＮＳ値）が報知された場合に適用が許容されている。【０００７】
ＮＳ値は、ＳＩＢ２（ＳｙｓｔｅｍＩｎｆｏｒｍａｔｉｏｎＢｌｏｃｋＴｙｐｅ２）のａｄｄｉｔｉｏｎａｌＳｐｅｃｔｒｕｍＥｍｉｓｓｉｏｎにより報知される値である（非特許文献２）。図１にＮＳ値とそれに対応する送信条件（Ｒｅｑｕｉｒｅｍｅｎｔｓ、ｂａｎｄ、ｂａｎｄｗｉｄｔｈ、ＲＢ数、許容Ａ−ＭＰＲ値）の例を示す（非特許文献１のＴａｂｌｅ  ６．２．４−１からの抜粋）。「送信条件」とはより具体的には、「ａｄｄｉｔｉｏｎａｌ  ｓｐｅｃｔｒｕｍ  ｅｍｉｓｓｉｏｎ  ｍａｓｋ  ａｎｄ  Ａｄｄｉｔｉｏｎａｌ ｓｐｕｒｉｏｕｓ ｅｍｉｓｓｉｏｎｓ  ｒｅｑｕｉｒｅｍｅｎｔｓ」（追加のスペクトル放射及び追加のスプリアスエミッション要求条件）である。【０００８】
例えば、あるセルに在圏して、基地局ｅＮＢからＮＳ＿０５を受信したユーザ装置ＵＥは、図１のＮＳ＿０５に対応するＲＢ数等を使用する際に、非特許文献２の「６．６．３．３．１  Ｍｉｎｉｍｕｍ  ｒｅｑｕｉｒｅｍｅｎｔ  （ｎｅｔｗｏｒｋ  ｓｉｇｎａｌｌｅｄ  ｖａｌｕｅ  "ＮＳ＿０５"）」で規定されるような送信電力に対して、１ｄＢ以下のＡ−ＭＰＲが許容される。【０００９】
ＮＳ値は、バンド（ｏｐｅｒａｔｉｎｇ  ｂａｎｄ）及びチャネル帯域幅（ｃｈａｎｎｅｌ  ｂａｎｄｗｉｄｔｈ）毎に必要に応じて規定されている。なお、ＮＳ値は、ＮＷから報知されるが、Ａ−ＭＰＲの値は、ユーザ装置ＵＥにインプリされており、ＮＷ側は、適用可否を決定、報知するだけである。【００１０】
ここで、ユーザ装置ＵＥが使用するバンドの全てのチャネル帯域幅、あるいは、バンドの特定のチャネル帯域幅に対して規定されていないＮＳ値を受信した場合のユーザ装置ＵＥの動作は規定されていないが、ユーザ装置ＵＥは、任意のバンド及び任意のチャネル帯域幅においてデフォルトでＮＳ＿０１（Ａ−ＭＰＲ無）を理解可能である。
【先行技術文献】
【非特許文献】
【００１１】
【非特許文献１】３ＧＰＰ  ＴＳ  ３６．１０１  Ｖ１２．４．０  （２０１４−０６）
【非特許文献２】３ＧＰＰ  ＴＳ  ３６．３３１  Ｖ１２．２．０  （２０１４−０６）
【発明の概要】
【発明が解決しようとする課題】
【００１２】
あるバンドの標準化を完了した後、新たにｒｅｇｕｌａｔｉｏｎが追加された、あるいは、急遽他の国で特定のバンドを特定の保護規格で利用するようになり、新規にＮＳ値及び又は関連するＡ−ＭＰＲの適用条件を規定したとしても、既に発売されているユーザ装置ＵＥは、新ＮＳ値を理解できない（ｕｎｅｘｐｅｃｔｅｄ  ＮＳ）ため、受信後の動作が明確ではない可能性がある（ｒｅｇｕｌａｔｉｏｎを満足しない、あるいは、当該セルには、ｃａｍｐ  ｏｎしないといった可能性がある）。【００１３】
本発明は上記の点に鑑みてなされたものであり、新たな送信条件に関するシステム情報が報知されるセルにおいて、新たな送信条件を理解できるユーザ装置のみならず、これを理解できないユーザ装置も適切な最大送信電力を使用して送信を行うことを可能とする技術を提供することを目的とする。
【課題を解決するための手段】
【００１４】
本発明の実施の形態によれば、基地局とユーザ装置とを備える移動通信システムにおける前記ユーザ装置であって、
前記基地局から、第１の最大送信電力値と第２の最大送信電力値を含む第１のシステム情報と、第１のシグナリング値と第２のシグナリング値を含む第２のシステム情報を受信する受信手段と、
前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定する制御手段とを備えるユーザ装置が提供される。【００１５】
また、本発明の実施の形態によれば、基地局とユーザ装置とを備える移動通信システムにおける前記ユーザ装置であって、
前記基地局から、複数のシグナリング値と、当該複数のシグナリング値のそれぞれに対応する複数の最大送信電力値とを含むシステム情報を受信する受信手段と、
前記システム情報に含まれる複数のシグナリング値のうちの１つのシグナリング値を選択し、当該シグナリング値に対応する最大送信電力を用いてセル選択又はセル再選択を実行する制御手段とを備えることを特徴とするユーザ装置が提供される。【００１６】
また、本発明の実施の形態によれば、基地局とユーザ装置とを備える移動通信システムであって、
前記基地局は、
第１の最大送信電力値と第２の最大送信電力値を含む第１のシステム情報と、第１のシグナリング値と第２のシグナリング値を含む第２のシステム情報を送信するための送信手段を備え、
前記ユーザ装置は、
前記基地局から、前記第１のシステム情報と、前記第２のシステム情報を受信する受信手段と、
前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定する制御手段と、を備える移動通信システムが提供される。【００１７】
また、本発明の実施の形態によれば、基地局とユーザ装置とを備える移動通信システムにおける前記ユーザ装置が実行する最大送信電力決定方法であって、
前記基地局から、第１の最大送信電力値と第２の最大送信電力値を含む第１のシステム情報と、第１のシグナリング値と第２のシグナリング値を含む第２のシステム情報を受信するステップと、
前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定するステップとを備える最大送信電力決定方法が提供される。【００１８】
また、本発明の実施の形態によれば、基地局とユーザ装置とを備える移動通信システムにおいて実行される最大送信電力決定方法であって、
前記基地局が、第１の最大送信電力値と第２の最大送信電力値を含む第１のシステム情報と、第１のシグナリング値と第２のシグナリング値を含む第２のシステム情報を送信するステップと、
前記ユーザ装置が、前記基地局から、前記第１のシステム情報と、前記第２のシステム情報を受信するステップと、
前記ユーザ装置が、前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定するステップと、を備える最大送信電力決定方法が提供される。
【発明の効果】
【００１９】
本発明の実施の形態によれば、新たな送信条件に関するシステム情報が報知されるセルにおいて、新たな送信条件を理解できるユーザ装置のみならず、これを理解できないユーザ装置も適切な最大送信電力を使用して送信を行うことを可能とする技術が提供される。
【図面の簡単な説明】
【００２０】
【図１】Ａ−ＭＰＲの例を示す図である。
【図２】本発明の実施の形態に係る通信システムの構成図である。
【図３】本実施の形態における処理シーケンス例を示す図である。
【図４】本実施の形態における処理のフローチャートを示す図である。
【図５Ａ】ＳＩＢ１メッセージの仕様変更例を示す図である。
【図５Ｂ】ＳＩＢ１メッセージの仕様変更例を示す図である。
【図６Ａ】ＳＩＢ２メッセージの仕様変更例を示す図である。
【図６Ｂ】ＳＩＢ２メッセージの仕様変更例を示す図である。
【図７Ａ】ＵＥ−ＥＵＴＲＡ−Ｃａｐａｂｉｌｉｔｙ  ｉｎｆｏｒｍａｔｉｏｎ  ｅｌｅｍｅｎｔの仕様変更例を示す図である。
【図７Ｂ】ＵＥ−ＥＵＴＲＡ−Ｃａｐａｂｉｌｉｔｙ  ｉｎｆｏｒｍａｔｉｏｎ  ｅｌｅｍｅｎｔの仕様変更例を示す図である。
【図８】ＳＩＢ５メッセージの仕様変更例を示す図である。
【図９】ＳＩＢ５メッセージの仕様変更例を示す図である。
【図１０】ＳＩＢ５メッセージの仕様変更例を示す図である。
【図１１】ＳＩＢ５メッセージの仕様変更例を示す図である。
【図１２】ＳＩＢ３メッセージの仕様変更例を示す図である。
【図１３】ＳＩＢ３メッセージの仕様変更例を示す図である。
【図１４】ＳＩＢ３メッセージの仕様変更例を示す図である。
【図１５】ＳＩＢ３メッセージの仕様変更例を示す図である。
【図１６】ＳＩＢ１メッセージの仕様変更例を示す図である。
【図１７】ＳＩＢ１メッセージの仕様変更例を示す図である。
【図１８】ＳＩＢ１メッセージの仕様変更例を示す図である。
【図１９】ＳＩＢ２メッセージの仕様変更例を示す図である。
【図２０】ＳＩＢ２メッセージの仕様変更例を示す図である。
【図２１】ユーザ装置ＵＥの構成図である。
【図２２】ユーザ装置ＵＥのＨＷ構成図である。
【図２３】基地局ｅＮＢの構成図である。
【図２４】基地局ｅＮＢの構成図である。
【発明を実施するための形態】
【００２１】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本明細書及び特許請求の範囲において、「ＬＴＥ」の用語は３ＧＰＰのＲｅｌ−８以降のＲｅｌの方式の意味で使用する。
【００２２】
（システム全体構成）
図２に、本発明の実施の形態に係る通信システムの構成図を示す。図２に示すように、本実施の形態の通信システムは、基地局ｅＮＢとユーザ装置ＵＥを含む。図２には、基地局ｅＮＢとユーザ装置ＵＥが１つずつ示されているが、これは例であり、それぞれ複数あってもよい。
【００２３】
（シーケンス例）
本実施の形態では、ユーザ装置ＵＥが基地局ｅＮＢから受信するＳＩＢ１、ＳＩＢ２に含まれる情報に基づいて最大送信電力を決定することから、まず、図３を参照してＳＩＢ１、ＳＩＢ２受信を含むシーケンスの例を説明する。図３は、一例としてＲＲＣアイドル状態におけるセル選択／再選択時の動作の例を示している。
【００２４】
図３に示す例において、ユーザ装置ＵＥはセルサーチにより基地局ｅＮＢから同期信号（ＰＳＳ／ＳＳＳ）を受信することで（ステップ１０１）、同期をとるとともにセルＩＤ（ＰＣＩ）を取得する。同期信号により同期がとれた当該セルに関して、ユーザ装置ＵＥは、基地局ｅＮＢから送信される参照信号（ＣＲＳ）を受信し、ＲＳＲＰの測定を行う（ステップ１０２）。
【００２５】
ステップ１０３では、参照信号のＲＳＲＰが最も高いセル（ベストセル）として基地局ｅＮＢのセルが選択される。
【００２６】
ステップ１０４において、ユーザ装置ＵＥは、基地局ｅＮＢから報知されるＳＩＢ１、ＳＩＢ２等のシステム情報を受信する。ステップ１０５において、ユーザ装置ＵＥは、ＳＩＢ２に含まれるＮＳ値の情報、及びＳＩＢ１に含まれる最大送信電力（最大出力電力と称してもよい）の情報に基づいて、自身が適用する最大送信電力を決定する。
【００２７】
なお、ユーザ装置ＵＥは、ＭＩＢに含まれるＤＬ帯域幅情報により、自身が当該セルで適用するＤＬチャネル帯域幅（ｃｈａｎｎｅｌ  ｂａｎｄｗｉｄｔｈ）を決定する。また、ＳＩＢ１に含まれるバンド情報により自身が当該セルで適用するバンド（ｏｐｅｒａｔｉｎｇ  ｂａｎｄ）を決定する。ＵＬチャネル帯域幅は、ＳＩＢ２にＵＬ帯域幅情報が含まれない限り、ＤＬと同じとみなす。ＳＩＢ２にＵＬ帯域幅情報が含まれる場合、ＳＩＢ２で報知されている値を、当該セルで適用するＵＬチャネル帯域幅（ｃｈａｎｎｅｌ  ｂａｎｄｗｉｄｔｈ）として決定する。
【００２８】
（処理の詳細）
本実施の形態における基地局ｅＮＢは、自セルにおけるＮＳ値をＳＩＢ２の中のａｄｄｉｔｉｏｎａｌＳｐｅｃｔｒｕｍＥｍｉｓｓｉｏｎにより報知するとともに、ＳＩＢ１の中のＩＥであるｐ−Ｍａｘにより最大送信電力を報知する。なお、より具体的には、ｐ−Ｍａｘ（後述するｐ−Ｍａｘ２も同様）により報知される最大送信電力は、非特許文献１の６．２．５に示されているようにＰＥＭＡＸとして使用される。
【００２９】
一例として、あるセルＡでは、ａｄｄｉｔｉｏｎａｌＳｐｅｃｔｒｕｍＥｍｉｓｓｉｏｎとしてＮＳ＿０１を報知し、当該ＮＳ＿０１用にｐ−Ｍａｘとして１８ｄＢｍを報知する。また、別のセルＢでは、例えば、ａｄｄｉｔｉｏｎａｌＳｐｅｃｔｒｕｍＥｍｉｓｓｉｏｎとしてＮＳ＿５０を報知し、当該ＮＳ＿５０用にｐ−Ｍａｘとして２３ｄＢｍを報知する。なお、ここでは、セルＢに在圏するＵＥはＮＳ＿５０を理解できるものとしている。
【００３０】
これにより、規制の緩い、すなわち、Ａ−ＭＰＲを許容されていないＮＳ＿０１を適用するセルＡのＵＥ向けには低い送信電力が適用され、上りの干渉を抑える。一方、規制の厳しいＮＳ＿５０を適用するセルＢのＵＥ向けには、ＵＥ能力の最大値（２３ｄＢｍ）の送信を許可する。
【００３１】
すなわち、後者のＵＥは、ＮＳ＿５０に対応して規定されている厳しい送信条件（例：Ａ−ＭＰＲを許容）に従って送信を行うことができるため、ｐ−Ｍａｘとしては大きな値を通知してよいのである。これにより、大きな送信電力で送信できる条件（例：少ないＲＢ数）では、大きな送信電力を使用できる。一方、小さなｐ−Ｍａｘを受信するセルＡのＵＥは、仮に、実際には周囲に影響を与えないような送信方法（例：ＲＢ位置、ＲＢ数）であっても送信電力はｐ−Ｍａｘにより小さく制約される。
【００３２】
ここで、例えば、ＮＳ＿０１については全てのユーザ装置ＵＥが理解できるが、ＮＳ＿５０については、新しい規制に対応して新しく規定されたＮＳ値であり、新しい一部のＵＥ（以下、これを新ＵＥと呼ぶ）のみが理解でき、その他のＵＥ（これを旧ＵＥと呼ぶ）は理解できない場合を想定する。
【００３３】
この場合、上記セルＢのように、ＮＳ＿５０を報知するセルにおいて、旧ＵＥが在圏する場合、当該旧ＵＥはＮＳ＿５０を理解できないため、規制を満たさない通信を行ったり、当該旧ＵＥの実装によっては、セルＢに在圏（ｃａｍｐ  ｏｎ）しない動作を行うことが考えられる。
【００３４】
このような状況を回避するために、セルＢでは、本来であればＮＳ＿５０の送信条件に従ってＵＥに対して送信を行ってほしいが、やむをえずに全てのＵＥが理解できるＮＳ＿０１を報知し、かつ、どのような場合（ＲＢ数、ＲＥ位置等）でもＮＳ＿５０の送信条件を満たすように（つまり、ＮＳ＿５０で想定する隣接システムへの影響を所定値以下にするために）、小さいｐ−Ｍａｘを報知することが考えられる。
【００３５】
しかし、上記の場合、ＮＳ＿５０を理解できる新ＵＥであれば、より大きな送信電力を使用できるような状況においても、小さな送信電力を使用することとなり、システム全体のパフォーマンスが低下する可能性がある。
【００３６】
そこで、本実施の形態では、セル内に新ＵＥと旧ＵＥが混在する状況を想定し、セルにおけるＮＳ値として２つのＮＳ値を報知するとともに、ＮＳ値毎にｐ−Ｍａｘを報知することとしている。ここでは、一例として、全てのＵＥが理解できることが想定されるＮＳ値をａｄｄｉｔｉｏｎａｌＳｐｅｃｔｒｕｍＥｍｉｓｓｉｏｎで報知し、これに対応する最大送信電力をｐ−Ｍａｘで報知し、新ＵＥのみが理解できることが想定される２番目のＮＳ値を「ａｄｄｉｔｉｏｎａｌＳｐｅｃｔｒｕｍＥｍｉｓｓｉｏｎ２」で報知し、これに対応する最大送信電力を「ｐ−Ｍａｘ２」で報知する。
【００３７】
ＮＳ＿５０に対応する送信条件をＵＥに課したい上記セルＢの例であれば、例えば、ａｄｄｉｔｉｏｎａｌＳｐｅｃｔｒｕｍＥｍｉｓｓｉｏｎによりＮＳ＿０１を報知し、ｐ−Ｍａｘにより１８ｄＢｍを報知することに加えて、ａｄｄｉｔｉｏｎａｌＳｐｅｃｔｒｕｍＥｍｉｓｓｉｏｎ２によりＮＳ＿５０を報知し、ｐ−Ｍａｘ２により２３ｄＢｍを報知する。
【００３８】
セルＢにおいて上記報知情報を受信するユーザ装置ＵＥは、ａｄｄｉｔｉｏｎａｌＳｐｅｃｔｒｕｍＥｍｉｓｓｉｏｎ２の値（ここではＮＳ＿５０）を正当な値（現セルでのバンド、チャネル帯域幅に対応して規定されている値）であると判定できる場合には、ＮＳ＿５０に対応する条件で動作するとともに、最大送信電力としてｐ−Ｍａｘ２（２３ｄＢｍ）を使用する。また、セルＢにおいて上記報知情報を受信するユーザ装置ＵＥが、ａｄｄｉｔｉｏｎａｌＳｐｅｃｔｒｕｍＥｍｉｓｓｉｏｎ２の値（ここではＮＳ＿５０）を正当な値であると判定できない場合、ａｄｄｉｔｉｏｎａｌＳｐｅｃｔｒｕｍＥｍｉｓｓｉｏｎ（ＮＳ＿０１）に従って動作し、最大送信電力としてｐ−Ｍａｘ（１８ｄＢｍ）を使用する。なお、ｐ−Ｍａｘが報知されない場合、ユーザ装置ＵＥは、自身がＵＥ能力（ＵＥ  ｃａｐａｂｉｌｉｔｙ）として有する最大送信電力の値をｐ−Ｍａｘの代わりに使用する。
【００３９】
上記のように基地局ｅＮＢから２種類のＮＳ値及びｐ−Ｍａｘが報知される場合におけるユーザ装置ＵＥの処理を図４のフローチャートを参照して説明する。
【００４０】
ユーザ装置ＵＥがあるセルの基地局ｅＮＢからＳＩＢ１、ＳＩＢ２を受信する（ステップ２０１）。なお、ＳＩＢ１、ＳＩＢ２等のシステム情報は周期的に報知され、ユーザ装置ＵＥは周期的に受信する。ユーザ装置ＵＥは、例えば、一度必要な情報（ＮＳ値、ｐ−Ｍａｘ等）をＳＩＢ１、ＳＩＢ２から取得した後も、適宜、ＳＩＢ１、ＳＩＢ２を読み取り、当該情報を確認することとしてよい。
【００４１】
ここでのユーザ装置ＵＥは、前述した「新ＵＥ」に相当するものとし、ユーザ装置ＵＥは、ＳＩＢ２からａｄｄｉｔｉｏｎａｌＳｐｅｃｔｒｕｍＥｍｉｓｓｉｏｎ２を読むことができる。
【００４２】
ユーザ装置ＵＥが、ａｄｄｉｔｉｏｎａｌＳｐｅｃｔｒｕｍＥｍｉｓｓｉｏｎ２を読むことができ、当該ａｄｄｉｔｉｏｎａｌＳｐｅｃｔｒｕｍＥｍｉｓｓｉｏｎ２で指定されるＮＳ値が正当な値であると判定する場合（ステップ２０２のＹｅｓ）、ユーザ装置ＵＥは、ＳＩＢ１からｐ−Ｍａｘ２を読み、ｐ−Ｍａｘ２の値を当該セルにおける最大送信電力（Ｐｅｍａｘ）として使用する。
【００４３】
なお、ＮＳ値が正当な値であると判定することは、当該ユーザ装置ＵＥが、当該ＮＳ値は現セルで使用するバンド、チャネル帯域幅に対応して３ＧＰＰ規格で規定されている送信条件に相当すると判断するとともに、当該ユーザ装置ＵＥが、当該ＮＳ値の送信条件で送信動作を行うことができることを意味する。
【００４４】
一方、ステップ２０２において、ユーザ装置ＵＥがａｄｄｉｔｉｏｎａｌＳｐｅｃｔｒｕｍＥｍｉｓｓｉｏｎ２に対応していない場合（つまり、ａｄｄｉｔｉｏｎａｌＳｐｅｃｔｒｕｍＥｍｉｓｓｉｏｎ２を理解できない場合）、ステップ２０４に進む。
【００４５】
ａｄｄｉｔｉｏｎａｌＳｐｅｃｔｒｕｍＥｍｉｓｓｉｏｎ２に対応していない場合とは、当該フィールドを認識できない場合や、当該フィールドの値を読めるが、現セルで使用するバンド、チャネル帯域幅に対応した値として当該値を認識できない場合等である。
【００４６】
ステップ２０４では、ＳＩＢ１でｐ−Ｍａｘが報知されているか否かを確認し、報知されていれば（ステップ２０４のＹｅｓ）、当該ｐ−Ｍａｘを当該セルでの最大送信電力として使用する（ステップ２０５）。また、ｐ−Ｍａｘが報知されていなければ（ステップ２０４のＮｏ）、当該ユーザ装置ＵＥのＵＥ  ｃａｐａｂｉｌｉｔｙに応じた最大送信電力を使用する（ステップ２０６）。
【００４７】
（３ＧＰＰ仕様書変更例）
次に、本実施の形態で説明した動作をサポートする通信システムが準拠するべき３ＧＰＰ仕様書（３ＧＰＰ  ＴＳ  ３６．３３１）の記載例（抜粋）を、非特許文献２からの変更箇所に下線を引いた形で説明する。
【００４８】
図５Ａは、ＳＩＢ１メッセージ（ＳｙｓｔｅｍＩｎｆｏｒｍａｔｉｏｎＢｌｏｃｋＴｙｐｅ１  ｍｅｓｓａｇｅ）の抜粋を示す。図５Ａに示すように、ｐ−Ｍａｘ２が追加されている。当該ｐ−Ｍａｘ２の値が、図４のステップ２０３で最大送信電力として決定される値である。なお、図５Ａの前段に記載されているｐ−Ｍａｘの値は、図４のステップ２０５で最大送信電力とされる値である。
【００４９】
図５Ｂに説明されているとおり、ｐ−Ｍａｘ２は、当該セル（当該ＳＩＢ１が報知されたセル）において、ａｄｄｉｔｉｏｎａｌＳｐｅｃｔｒｕｍＥｍｉｓｓｉｏｎ２をサポートするユーザ装置ＵＥに適用される値である。ｐ−Ｍａｘ２がない場合、当該ユーザ装置ＵＥは、ｐ−Ｍａｘが報知されていればｐ−Ｍａｘを適用し、ｐ−Ｍａｘが報知されていなければ、ＵＥ  ｃａｐａｂｉｌｉｔｙに応じた最大送信電力を適用する。
【００５０】
図６Ａは、ＳＩＢ２  ＩＥ（ＳｙｓｔｅｍＩｎｆｏｒｍａｔｉｏｎＢｌｏｃｋＴｙｐｅ２  ｉｎｆｏｒｍａｔｉｏｎ  ｅｌｅｍｅｎｔ）の抜粋を示す。図６Ａに示すように、ａｄｄｉｔｉｏｎａｌＳｐｅｃｔｒｕｍＥｍｉｓｓｉｏｎ２が追加されている。図４のステップ２０２において、ＵＥは、当該ａｄｄｉｔｉｏｎａｌＳｐｅｃｔｒｕｍＥｍｉｓｓｉｏｎ２を理解できる場合（正当な値であると判定する場合）に、ｐ−Ｍａｘ２を最大送信電力として使用する。
【００５１】
図６Ｂに説明されているとおり、現在のセルのバンド及び帯域幅で有効なものとしてＴＳ３６．１０１のｔａｂｌｅ６．２．４−１に規定されている値のａｄｄｉｔｉｏｎａｌＳｐｅｃｔｒｕｍＥｍｉｓｓｉｏｎ２を受信したユーザ装置ＵＥは、ａｄｄｉｔｉｏｎａｌＳｐｅｃｔｒｕｍＥｍｉｓｓｉｏｎではなくａｄｄｉｔｉｏｎａｌＳｐｅｃｔｒｕｍＥｍｉｓｓｉｏｎ２の値を適用する。もしも、ユーザ装置ＵＥが、現在のセルのバンド及び帯域幅で有効なものとしてＴＳ３６．１０１のｔａｂｌｅ６．２．４−１に規定されていない値のａｄｄｉｔｉｏｎａｌＳｐｅｃｔｒｕｍＥｍｉｓｓｉｏｎ２を受信した場合、ユーザ装置ＵＥは、当該フィールドを無視し、ａｄｄｉｔｉｏｎａｌＳｐｅｃｔｒｕｍＥｍｉｓｓｉｏｎに従って動作する。
【００５２】
なお、本実施の形態では、ユーザ装置ＵＥが、ａｄｄｉｔｉｏｎａｌＳｐｅｃｔｒｕｍＥｍｉｓｓｉｏｎ２に従った動作を行う能力を有するかどうかをＵＥ  ｃａｐａｂｉｌｉｔｙとして基地局ｅＮＢに通知することが可能である。図７Ａは、当該動作に対応するＵＥ能力ＩＥ（ＵＥ−ＥＵＴＲＡ−Ｃａｐａｂｉｌｉｔｙ  ｉｎｆｏｒｍａｔｉｏｎ  ｅｌｅｍｅｎｔ）の抜粋を示す。図７Ａに示すように、ｍｏｄｉｆｉｅｄＭＰＲ−Ｂｅｈａｖｉｏｒが追加されている。
【００５３】
図７Ｂにおいて説明されているように、当該フィールド（ビットマップ）において、ユーザ装置ＵＥがＴＳ３６．１０１に規定される修正（ｍｏｄｉｆｉｅｄ）ＭＰＲ／Ａ−ＭＰＲ動作「Ｎ」をサポートする場合に、ビットＮに１が設定される。このフィールドがない場合、ユーザ装置ＵＥは、修正ＭＰＲ／Ａ−ＭＰＲ動作をサポートしていないことを示す。
【００５４】
以上説明したような方式を採用することで、ユーザ装置ＵＥが理解できないＮＳ値を報知されたＮＳ配下においても、最大送信電力を抑える形でユーザ装置ＵＥをＮＷに接続させることができる。なお、基地局ｅＮＢが報知しているＮＳ値をユーザ装置ＵＥが理解できない場合、ユーザ装置ＵＥをＮＷに接続させないようにする提案がなされているが、ＮＷに接続させないよりも、本実施の形態の方式のように接続させた方がサービス提供の観点で好ましい。
【００５５】
また、本実施の形態の方式を採用することで、例えば新たに保護規格が設けられ、新規ＮＳ値／関連するＡ−ＭＰＲが規定された場合でも、これらに対応するパラメータ（ｐ−Ｍａｘ、ｐ−Ｍａｘ２等）を適宜定めることにより、新規ＮＳ値に対応するＵＥも、対応しないＵＥもセルに在圏して、適切な最大送信電力で送信を行わせることができる。特定チャネル帯域幅に新規ＮＳ値／関連Ａ−ＭＲＰを規定する場合（例：Ｂａｎｄ１３のＮＳ＿０７に５ＭＨｚ向けのＡ−ＭＰＲを規定）や、追加でＮＳ値／Ａ−ＭＰＲを規定する場合や、既存のＮＳ値を流用しつつ、保護レベルを修正したい場合等においても同様に対応可能となる。
【００５６】
なお、上記のように、あるバンドに関して、基地局ｅＮＢからユーザ装置ＵＥに対して２つのＮＳ値、及び当該２つのＮＳ値に対応する２つのｐ−ＭＡＸを通知することは、複数のＮＳ値と複数のｐ−ＭＡＸを通知することの一例である。本実施の形態では、基地局ｅＮＢからユーザ装置ＵＥに対して、３つ以上の数のＮＳ値及び当該数のｐ−ＭＡＸを通知してもよい。
【００５７】
例えば、基地局ｅＮＢは、優先度の高い順番（ｄｅｃｒｅａｓｉｎｇ  ｏｒｄｅｒ  ｏｆ  ｐｒｉｏｒｉｔｙ）で複数のＮＳ値が並べられたリストをＳＩＢ２（後述するようにＳＩＢ１でもよい）でユーザ装置ＵＥに通知するとともに、当該リストでの各ＮＳ値に対応するｐ−Ｍａｘの値のリストをＳＩＢ１でユーザ装置ＵＥに通知することとしてもよい。これらのリストを受信したユーザ装置ＵＥは、通知された複数のＮＳ値の中で、自身が適用可能なＮＳ値のうち最も優先度の高いＮＳ値を適用し、当該ＮＳ値に対応するｐ−Ｍａｘを適用する。
【００５８】
一例として、ユーザ装置ＵＥが適用するあるバンドに対して、基地局ｅＮＢがＮＳ＿５０、ＮＳ＿０３、ＮＳ＿０１（優先度の高い順）を送信する場合に、基地局ｅＮＢは、ＳＩＢ１により、ＮＳ＿５０、ＮＳ＿０３、ＮＳ＿０１のそれぞれに対応するｐ−Ｍａｘとして、ｐ−Ｍａｘ１、ｐ−Ｍａｘ２、ｐ−Ｍａｘ３を送信する。そして、ユーザ装置ＵＥがＮＳ＿５０を適用する場合、ユーザ装置ＵＥはＮＳ＿５０に対応するｐ−Ｍａｘ１を適用する。なお、最低優先のＮＳ値（ＮＳ＿０１）に対応するｐ‐Ｍａｘに関しては、新たにシグナリングを規定せずに、既存のｐ−Ｍａｘを用いることとしてもよい。
【００５９】
（変形例）
これまでの例では、ユーザ装置ＵＥが、セル選択／セル再選択の手順により在圏（ｃａｍｐ  ｏｎ）したセルでＳＩＢ１、ＳＩＢ２等を受信し、これらに含まれる情報に基づき、当該セルにおける最大送信電力等を決定することについて説明した。
【００６０】
本実施の形態に係る通信システム（ＬＴＥを想定）では、セル再選択として、同一周波数セル再選択（ｉｎｔｒａ−ｆｒｅｑｕｅｎｃｙ  ｃｅｌｌ  ｒｅ−ｓｅｌｅｃｔｉｏｎ）と異周波数セル再選択（ｉｎｔｅｒ−ｆｒｅｑｕｅｎｃｙ  ｃｅｌｌ  ｒｅ−ｓｅｌｅｃｔｉｏｎ）がある。
【００６１】
同一周波数セル再選択において、ユーザ装置ＵＥは、在圏しているセル（ｓｅｒｖｉｎｇ  ｃｅｌｌ）における参照信号の受信電力／受信品質が所定値以下になった場合に、当該セルの周波数（キャリア周波数と呼んでもよい）と同じ周波数の周辺セル（ｎｅｉｇｈｂｏｒｉｎｇ  ｃｅｌｌ）における受信電力／受信品質の測定を開始し、測定結果に基づいて周辺セルに遷移するかどうかを決定する。
【００６２】
一方、異周波数セル再選択では、ユーザ装置ＵＥは、優先度等に基づき、在圏しているセルの周波数と異なる周波数の周辺セルの測定を行って、測定結果に基づいて周辺セルに遷移するかどうかを決定する。異周波数セル再選択では、基地局ｅＮＢからユーザ装置ＵＥに送信される複数種類のシステム情報のうちの１つであるＳＩＢ５（Ｓｙｓｔｅｍ  ｉｎｆｏｒｍａｔｉｏｎ  Ｂｌｏｃｋ  Ｔｙｐｅ  ５）に含まれる情報が用いられる（非特許文献２）。
【００６３】
非特許文献２に記載されている既存のＳＩＢ５には、周辺セルの周波数毎に「ＩｎｔｅｒＦｒｅｑＣａｒｒｉｅｒＦｒｅｑＩｎｆｏ」が存在する。「ＩｎｔｅｒＦｒｅｑＣａｒｒｉｅｒＦｒｅｑＩｎｆｏ」には、周波数（ｄｌ−ＣａｒｒｉｅｒＦｒｅｑのフィールドの値）、最大送信電力（ｐ−Ｍａｘのフィールドの値）、プライオリティ（ｃｅｌｌＲｅｓｅｌｅｃｔｉｏｎＰｒｉｏｒｉｔｙのフィールドの値）、各種閾値（ｔｈｒｅｓｈＸ−Ｈｉｇｈ、ｔｈｒｅｓｈＸ−Ｌｏｗ等のフィールドの値）等が含まれる。
【００６４】
上記のｐ−Ｍａｘの値は、遷移先のセル（ターゲットセル）を決定するための判定条件の中で使用されるパラメータの１つである。
【００６５】
しかし、既存技術において、ＳＩＢ５には、ターゲットセルのＮＳ値が含まれないため、上記のｐ−Ｍａｘがターゲットセルの選定において最適な値ではない可能性がある。
【００６６】
そこで、本変形例では、異周波数セル再選択において、ユーザ装置ＵＥが遷移先のセルを適切に判定できるように、ＳＩＢ５の中に、周辺セルの周波数毎に、複数のＮＳ値と、当該複数のＮＳ値のそれぞれに対応するｐ−Ｍａｘの値を含めることとしている。
【００６７】
各周波数についての複数のＮＳ値は、例えば、優先度の高い順（ｄｅｃｒｅａｓｉｎｇ  ｏｒｄｅｒ  ｏｆ  ｐｒｉｏｒｉｔｙ）に並べられたリストとして基地局ｅＮＢからユーザ装置ＵＥに通知される。また、当該複数のＮＳ値に対応する複数のｐ−Ｍａｘの値は、ＮＳ値のリストにおけるＮＳ値の並び順と同じ順番でｐ−Ｍａｘを並べたリストとして通知される。また、ＮＳ値と当該ＮＳ値に対応するｐ−Ｍａｘの値とを組とし、当該組を優先度の高い順番に並べたリストをＳＩＢ５に含め、基地局ｅＮＢからユーザ装置ＵＥに通知してもよい。
【００６８】
なお、リストでの値の並べ方について、優先度の高い順とすることは例であり、優先度の低い順であってもよい。
【００６９】
一例として、ＳＩＢ５で通知する異周波数が周波数１と周波数２である場合において、ＳＩＢ５の中に、周波数１に対して「（ＮＳ値１，Ｐ−Ｍａｘ１），（ＮＳ値２，Ｐ−Ｍａｘ２），（ＮＳ値３，Ｐ−Ｍａｘ３）」が含められ、周波数２に対して「（ＮＳ値１，Ｐ−Ｍａｘ１），（ＮＳ値４，Ｐ−Ｍａｘ４），（ＮＳ値５，Ｐ−Ｍａｘ５）」が含められる。例えば（ＮＳ値１，Ｐ−Ｍａｘ１）は、ＮＳ値１とＰ−Ｍａｘ１が対応していることを示す。
【００７０】
ＳＩＢ５に含まれる上記のリストを受信したユーザ装置ＵＥが、異周波数セル再選択において、例えば「周波数１」のセルに遷移するかどうかの判定を行う際に、ＳＩＢ５における「周波数１」に対応するＮＳ値のリスト（又は、ＮＳ値とｐ−Ｍａｘとの組のリスト）を参照して、当該「周波数１」において、ユーザ装置ＵＥが適用可能なＮＳ値のうち、最も優先度の高いＮＳ値を選択し、更に、当該ＮＳ値に対応するｐ−Ｍａｘを選択し、選択したｐ−Ｍａｘを適用して判定を実施する。
【００７１】
例えば、周波数１に対応するリストが「（ＮＳ値１，Ｐ−Ｍａｘ１），（ＮＳ値２，Ｐ−Ｍａｘ２），（ＮＳ値３，Ｐ−Ｍａｘ３）」である場合において、ユーザ装置ＵＥがＮＳ値２とＮＳ値３に対応しており、ＮＳ値２がＮＳ値３よりも優先度が高い場合に、ユーザ装置ＵＥはＮＳ値２を選択し、これに対応するＰ−Ｍａｘ２を用いて周波数１のセルに遷移するかどうかを決定する。
【００７２】
なお、ＳＩＢ５の中に、選択したＮＳ値に対応するｐ−Ｍａｘが存在しない場合、ユーザ装置ＵＥは、「ＩｎｔｅｒＦｒｅｑＣａｒｒｉｅｒＦｒｅｑＩｎｆｏ」の中のｐ−Ｍａｘを適用することができる。
【００７３】
ＳＩＢ５に関する変形例に対応する３ＧＰＰ仕様書（３ＧＰＰ  ＴＳ  ３６．３３１）の記載例（抜粋）を図８、図９に示す。図８、図９において、非特許文献２からの変更箇所に下線が引かれている。
【００７４】
図８は、ＳＩＢ５（ＳｙｓｔｅｍＩｎｆｏｒｍａｔｉｏｎＢｌｏｃｋＴｙｐｅ５  ｉｎｆｏｒｍａｔｉｏｎ  ｅｌｅｍｅｎｔ）の抜粋を示す。図８に示すように、ＭＰＲ−ＩｎｆｏのリストとしてｍｕｌｔｉＭＰＲ−ＩｎｆｏＬｉｓｔが追加されている。ｍｕｌｔｉＭＰＲ−ＩｎｆｏＬｉｓｔは、周辺セルの周波数毎に含められる。図９の説明に示すように、本例において、ｍｕｌｔｉＭＰＲ−ＩｎｆｏＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値の組を優先度順に並べたリストである。ｐ−ＭａｘがＭＰＲ−Ｉｎｆｏにない場合、ユーザ装置ＵＥは、ＩｎｔｅｒＦｒｅｑＣａｒｒｉｅｒＦｒｅｑＩｎｆｏにおけるｐ−Ｍａｘを適用する。また、ユーザ装置ＵＥが、リストにおけるいずれのａｄｄｉｔｉｏｎａｌＳｐｅｃｔｒｕｍＥｍｉｓｓｉｏｎ（ＮＳ値）もサポートしない場合、ユーザ装置ＵＥは、ＩｎｔｅｒＦｒｅｑＣａｒｒｉｅｒＦｒｅｑＩｎｆｏにおけるｐ−Ｍａｘを適用する。
【００７５】
ＳＩＢ５に関する変形例に対応する３ＧＰＰ仕様書（３ＧＰＰ  ＴＳ  ３６．３３１）の他の記載例（抜粋）を図１０、図１１に示す。図１０、図１１において、非特許文献２からの変更箇所に下線が引かれている。
【００７６】
図１０は、ＳＩＢ５（ＳｙｓｔｅｍＩｎｆｏｒｍａｔｉｏｎＢｌｏｃｋＴｙｐｅ５  ｉｎｆｏｒｍａｔｉｏｎ  ｅｌｅｍｅｎｔ）の抜粋を示す。図１０に示すように、Ｐ−ｍａｘＮＳ−ｖａｌｕｅＬｉｓｔのリストであるａｄｄｉｔｉｏｎａｌ−ｎｓ−ｖａｌｕｅｓが追加されている。図１１に示すように、最初のＰ−ｍａｘＮＳ−ｖａｌｕｅＬｉｓｔは、ＳＩＢ１におけるｆｒｅｑＢａｎｄＩｎｄｉｃａｔｏｒに対応するＰ−ｍａｘとＮＳ−ｖａｌｕｅの組のリストを含む。続くＰ−ｍａｘＮＳ−ｖａｌｕｅＬｉｓｔは、ＳＩＢ２におけるｍｕｌｔｉＢａｎｄＩｎｆｏＬｉｓｔに含まれる各ａｄｄｉｔｉｏｎａｌＳｐｅｃｔｒｕｍＥｍｉｓｓｉｏｎに対応する。
【００７７】
各Ｐ−ｍａｘＮＳ−ｖａｌｕｅＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値の組を優先度順に並べたリストである。ユーザ装置ＵＥは、当該リストにおける、自身がサポートする最初のａｄｄｉｔｉｏｎａｌＳｐｅｃｔｒｕｍＥｍｉｓｓｉｏｎ（ＮＳ値）を適用する。
【００７８】
上記の例において、異周波数セル再選択に用いられるＳＩＢ５について説明したが、同一周波数セル再選択（ｉｎｔｒａ−ｆｒｅｑｕｅｎｃｙ  ｃｅｌｌ  ｒｅ−ｓｅｌｅｃｔｉｏｎ）に関しては、ターゲットセルへの遷移を行うかどうかを判定するために用いられるｐ−Ｍａｘの値はＳＩＢ３の中に含められている。
【００７９】
ＳＩＢ５の場合と同様に、既存のＳＩＢ３には、ターゲットセルのＮＳ値が含まれないため、上記のｐ−Ｍａｘがターゲットセルの選定において最適な値ではない可能性がある。
【００８０】
そこで、本変形例では、同一周波数セル再選択において、ユーザ装置ＵＥが遷移先のセルを適切に判定できるように、ＳＩＢ３の中に、遷移先のセル（ｎｅｉｇｈｂｏｒ  ｃｅｌｌｓ）に対する複数のＮＳ値と、当該複数のＮＳ値のそれぞれに対応するｐ−Ｍａｘの値を含めることとしている。
【００８１】
ＳＩＢ３に含める複数のＮＳ値は、例えば、優先度の高い順（ｄｅｃｒｅａｓｉｎｇ  ｏｒｄｅｒ  ｏｆ  ｐｒｉｏｒｉｔｙ）に並べられたリストとして基地局ｅＮＢからユーザ装置ＵＥに通知される。また、当該複数のＮＳ値に対応する複数のｐ−Ｍａｘの値は、ＮＳ値のリストにおけるＮＳ値の並び順と同じ順番でｐ−Ｍａｘを並べたリストとして通知される。また、ＮＳ値と当該ＮＳ値に対応するｐ−Ｍａｘの値とを組とし、当該組を優先度の高い順番に並べたリストをＳＩＢ３に含め、基地局ｅＮＢからユーザ装置ＵＥに通知してもよい。
【００８２】
なお、リストでの並べ方について、優先度の高い順とすることは例であり、優先度の低い順であってもよい。
【００８３】
一例として、ＳＩＢ３の中に、遷移先のセルで適用し得るＮＳ値とｐ−Ｍａｘの値の組のリストとして、「（ＮＳ値１，Ｐ−Ｍａｘ１），（ＮＳ値２，Ｐ−Ｍａｘ２），（ＮＳ値３，Ｐ−Ｍａｘ３）」が含められる。
【００８４】
ＳＩＢ３に含まれる上記のリストを受信したユーザ装置ＵＥが、同一周波数セル再選択において、同一周波数の他のセルに遷移するかどうかの判定を行う際に、ユーザ装置ＵＥは、ＳＩＢ３におけるＮＳ値のリスト（又は、ＮＳ値とｐ−Ｍａｘとの組のリスト）を参照して、ユーザ装置ＵＥが適用可能なＮＳ値のうち、最も優先度の高いＮＳ値を選択し、更に、当該ＮＳ値に対応するｐ−Ｍａｘを選択し、選択したｐ−Ｍａｘを適用して判定を実施する。
【００８５】
なお、ＳＩＢ３の中に、選択したＮＳ値に対応するｐ−Ｍａｘが存在しない場合、ユーザ装置ＵＥは、「ｉｎｔｒａＦｒｅｑＣｅｌｌＲｅｓｅｌｅｃｔｉｏｎＩｎｆｏ」の中のｐ−Ｍａｘを適用することができる。
【００８６】
ＳＩＢ３に関する変形例に対応する３ＧＰＰ仕様書（３ＧＰＰ  ＴＳ  ３６．３３１）の記載例（抜粋）を図１２、図１３に示す。図１２、図１３において、非特許文献２からの変更箇所に下線が引かれている。
【００８７】
図１２は、ＳＩＢ３（ＳｙｓｔｅｍＩｎｆｏｒｍａｔｉｏｎＢｌｏｃｋＴｙｐｅ３  ｉｎｆｏｒｍａｔｉｏｎ  ｅｌｅｍｅｎｔ）の抜粋を示す。図１２に示すように、ＭＰＲ−ＩｎｆｏのリストとしてｍｕｌｔｉＭＰＲ−ＩｎｆｏＬｉｓｔが追加されている。図１３に示すように、本例において、ｍｕｌｔｉＭＰＲ−ＩｎｆｏＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値の組を優先度順に並べたリストである。ｐ−ＭａｘがＭＰＲ−Ｉｎｆｏにない場合、ユーザ装置ＵＥは、ｉｎｔｒａＦｒｅｑＣｅｌｌＲｅｓｅｌｅｃｔｉｏｎＩｎｆｏにおけるｐ−Ｍａｘを適用する。また、ユーザ装置ＵＥが、リストにおけるいずれのａｄｄｉｔｉｏｎａｌＳｐｅｃｔｒｕｍＥｍｉｓｓｉｏｎ（ＮＳ値）もサポートしない場合、ユーザ装置ＵＥは、ｉｎｔｒａＦｒｅｑＣｅｌｌＲｅｓｅｌｅｃｔｉｏｎＩｎｆｏにおけるｐ−Ｍａｘを適用する。
【００８８】
ＳＩＢ３に関する変形例に対応する３ＧＰＰ仕様書（３ＧＰＰ  ＴＳ  ３６．３３１）の他の記載例（抜粋）を図１４、図１５に示す。図１４、図１５において、非特許文献２からの変更箇所に下線が引かれている。
【００８９】
図１４は、ＳＩＢ３（ＳｙｓｔｅｍＩｎｆｏｒｍａｔｉｏｎＢｌｏｃｋＴｙｐｅ３  ｉｎｆｏｒｍａｔｉｏｎ  ｅｌｅｍｅｎｔ）の抜粋を示す。図１４に示すように、Ｐ−ｍａｘＮＳ−ｖａｌｕｅＬｉｓｔのリストであるａｄｄｉｔｉｏｎａｌ−ｎｓ−ｖａｌｕｅｓが追加されている。図１５に示すように、最初のＰ−ｍａｘＮＳ−ｖａｌｕｅＬｉｓｔは、ＳＩＢ１におけるｆｒｅｑＢａｎｄＩｎｄｉｃａｔｏｒに対応するＰ−ｍａｘとＮＳ−ｖａｌｕｅの組のリストを含む。続くＰ−ｍａｘＮＳ−ｖａｌｕｅＬｉｓｔは、ＳＩＢ２におけるｍｕｌｔｉＢａｎｄＩｎｆｏＬｉｓｔに含まれる各ａｄｄｉｔｉｏｎａｌＳｐｅｃｔｒｕｍＥｍｉｓｓｉｏｎに対応する。
【００９０】
各Ｐ−ｍａｘＮＳ−ｖａｌｕｅＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値の組を優先度順に並べたリストである。ユーザ装置ＵＥは、当該リストにおける、自身がサポートする最初のａｄｄｉｔｉｏｎａｌＳｐｅｃｔｒｕｍＥｍｉｓｓｉｏｎ（ＮＳ値）を適用する。
【００９１】
上述したＳＩＢ５、ＳＩＢ３の例と同様に、基地局ｅＮＢは、複数ＮＳ値を複数のｐ−Ｍａｘの値と一緒にＳＩＢ１（もしくはＳＩＢ２）を用いて送信することも可能である。すなわち、前述した実施の形態では、ＳＩＢ２で複数ＮＳ値を送信し、ＳＩＢ１で複数のｐ−Ｍａｘの値を送信する例について説明したが、変形例においては、ＳＩＢ１もしくはＳＩＢ２を用いて複数ＮＳ値を複数のｐ−Ｍａｘの値と一緒に送信する。
【００９２】
複数のＮＳ値は、例えば、優先度の高い順（ｄｅｃｒｅａｓｉｎｇ  ｏｒｄｅｒ  ｏｆ  ｐｒｉｏｒｉｔｙ）に並べられたリストとしてＳＩＢ１もしくはＳＩＢ２に含められる。また、当該複数のＮＳ値に対応する複数のｐ−Ｍａｘの値は、ＮＳ値のリストにおけるＮＳ値の並び順と同じ順番でｐ−Ｍａｘを並べたリストとしてＳＩＢ１もしくはＳＩＢ２に含められる。また、ＮＳ値と当該ＮＳ値に対応するｐ−Ｍａｘの値とを組とし、当該組を優先度の高い順番に並べたリストをＳＩＢ１もしくはＳＩＢ２に含め、基地局ｅＮＢからユーザ装置ＵＥに通知してもよい。
【００９３】
なお、リストでの値の並べ方について、優先度の高い順とすることは例であり、優先度の低い順であってもよい。
【００９４】
一例として、ＳＩＢ１もしくはＳＩＢ２の中に、あるバンドに対応して、「（ＮＳ値１，Ｐ−Ｍａｘ１），（ＮＳ値２，Ｐ−Ｍａｘ２），（ＮＳ値３，Ｐ−Ｍａｘ３）」が含められる。例えば（ＮＳ値１，Ｐ−Ｍａｘ１）は、ＮＳ値１とＰ−Ｍａｘ１が対応していることを示す。
【００９５】
ＳＩＢ１もしくはＳＩＢ２に含まれる上記のリストを受信したユーザ装置ＵＥは、該当セルで上記のバンドを適用する場合に、当該バンドに対応するＮＳ値のリスト（又は、ＮＳ値とｐ−Ｍａｘとの組のリスト）を参照して、当該バンドにおいて、ユーザ装置ＵＥが適用可能なＮＳ値のうち、最も優先度の高いＮＳ値を選択し、更に、当該ＮＳ値に対応するｐ−Ｍａｘを選択し、選択したｐ−Ｍａｘを適用して送信制御を行う。
【００９６】
例えば、ユーザ装置ＵＥが適用するバンドに対応するリストが「（ＮＳ値１，Ｐ−Ｍａｘ１），（ＮＳ値２，Ｐ−Ｍａｘ２），（ＮＳ値３，Ｐ−Ｍａｘ３）」である場合において、ユーザ装置ＵＥがＮＳ値２とＮＳ値３に対応しており、ＮＳ値２がＮＳ値３よりも優先度が高い場合に、ユーザ装置ＵＥはＮＳ値２を選択し、当該ＮＳ値２とこれに対応するＰ−Ｍａｘ２とを用いて最大送信電力の制御を行う。
【００９７】
なお、ＳＩＢ１（もしくはＳＩＢ２）の中に、選択したＮＳ値に対応するｐ−Ｍａｘが存在しない場合、ユーザ装置ＵＥは、ＳＩＢ１の中に含まれる既存のｐ−Ｍａｘを適用することができる。
【００９８】
ＳＩＢ１に関する変形例に対応する３ＧＰＰ仕様書（３ＧＰＰ  ＴＳ  ３６．３３１）の記載例（抜粋）を図１６に示す。図１６において、非特許文献２からの変更箇所に下線が引かれている。
【００９９】
図１６は、ＳＩＢ１（ＳｙｓｔｅｍＩｎｆｏｒｍａｔｉｏｎＢｌｏｃｋＴｙｐｅ１  ｉｎｆｏｒｍａｔｉｏｎ  ｅｌｅｍｅｎｔ）の抜粋を示す。図１６に示すように、ＭＰＲ−ＩｎｆｏのリストとしてｍｕｌｔｉＭＰＲ−ＩｎｆｏＬｉｓｔが追加されている。本例において、ｍｕｌｔｉＭＰＲ−ＩｎｆｏＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値の組を優先度順に並べたリストである。ｐ−ＭａｘがＭＰＲ−Ｉｎｆｏにない場合、ユーザ装置ＵＥは、既存のｐ−Ｍａｘを適用する。また、ユーザ装置ＵＥが、リストにおけるいずれのａｄｄｉｔｉｏｎａｌＳｐｅｃｔｒｕｍＥｍｉｓｓｉｏｎ（ＮＳ値）もサポートしない場合、ユーザ装置ＵＥは、既存のｐ−Ｍａｘを適用する。
【０１００】
ユーザ装置ＵＥは、ＳＩＢ１で通知される複数のＮＳ値から選択されたＮＳ値に対応するｐ−Ｍａｘを用いてセル選択（ｃｅｌｌ  ｓｅｌｅｃｔｉｏｎ）を実行することもできる。
【０１０１】
ＳＩＢ１に関する変形例に対応する３ＧＰＰ仕様書（３ＧＰＰ  ＴＳ  ３６．３３１）の他の記載例（抜粋）を図１７、図１８に示す。図１７、図１８において、非特許文献２からの変更箇所に下線が引かれている。
【０１０２】
図１７は、ＳＩＢ１（ＳｙｓｔｅｍＩｎｆｏｒｍａｔｉｏｎＢｌｏｃｋＴｙｐｅ１  ｉｎｆｏｒｍａｔｉｏｎ  ｅｌｅｍｅｎｔ）の抜粋を示す。図１７に示すように、Ｐ−ｍａｘＮＳ−ｖａｌｕｅＬｉｓｔのリストであるａｄｄｉｔｉｏｎａｌ−ｎｓ−ｖａｌｕｅｓが追加されている。図１８に示すように、最初のＰ−ｍａｘＮＳ−ｖａｌｕｅＬｉｓｔは、ＳＩＢ１におけるｆｒｅｑＢａｎｄＩｎｄｉｃａｔｏｒに対応するＰ−ｍａｘとＮＳ−ｖａｌｕｅの組のリストを含む。続くＰ−ｍａｘＮＳ−ｖａｌｕｅＬｉｓｔは、ＳＩＢ２におけるｍｕｌｔｉＢａｎｄＩｎｆｏＬｉｓｔに含まれる各ａｄｄｉｔｉｏｎａｌＳｐｅｃｔｒｕｍＥｍｉｓｓｉｏｎに対応する。
【０１０３】
各Ｐ−ｍａｘＮＳ−ｖａｌｕｅＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値の組を優先度順に並べたリストである。ユーザ装置ＵＥは、当該リストにおける、自身がサポートする最初のａｄｄｉｔｉｏｎａｌＳｐｅｃｔｒｕｍＥｍｉｓｓｉｏｎ（ＮＳ値）を適用する。
【０１０４】
ＳＩＢ２に関する変形例に対応する３ＧＰＰ仕様書（３ＧＰＰ  ＴＳ  ３６．３３１）の記載例（抜粋）を図１９、図２０に示す。図１９、図２０において、非特許文献２からの変更箇所に下線が引かれている。
【０１０５】
図１９は、ＳＩＢ２（ＳｙｓｔｅｍＩｎｆｏｒｍａｔｉｏｎＢｌｏｃｋＴｙｐｅ２  ｉｎｆｏｒｍａｔｉｏｎ  ｅｌｅｍｅｎｔ）の抜粋を示す。図１９に示すように、Ｐ−ｍａｘＮＳ−ｖａｌｕｅＬｉｓｔのリストであるａｄｄｉｔｉｏｎａｌ−ｎｓ−ｖａｌｕｅｓが追加されている。図２０に示すように、最初のＰ−ｍａｘＮＳ−ｖａｌｕｅＬｉｓｔは、ＳＩＢ１におけるｆｒｅｑＢａｎｄＩｎｄｉｃａｔｏｒに対応するＰ−ｍａｘとＮＳ−ｖａｌｕｅの組のリストを含む。続くＰ−ｍａｘＮＳ−ｖａｌｕｅＬｉｓｔは、ＳＩＢ２におけるｍｕｌｔｉＢａｎｄＩｎｆｏＬｉｓｔに含まれる各ａｄｄｉｔｉｏｎａｌＳｐｅｃｔｒｕｍＥｍｉｓｓｉｏｎに対応する。
【０１０６】
各Ｐ−ｍａｘＮＳ−ｖａｌｕｅＬｉｓｔは、ａｄｄｉｔｉｏｎａｌＳｐｅｃｔｒｕｍＥｍｉｓｓｉｏｎ（ＮＳ値）と、これに対応するｐ−Ｍａｘの値の組を優先度順に並べたリストである。ユーザ装置ＵＥは、当該リストにおける、自身がサポートする最初のａｄｄｉｔｉｏｎａｌＳｐｅｃｔｒｕｍＥｍｉｓｓｉｏｎ（ＮＳ値）を適用する。
【０１０７】
（装置構成）
次に、本発明の実施の形態（変形例を含む）におけるユーザ装置ＵＥと基地局ｅＮＢの構成例を示す。
【０１０８】
＜ユーザ装置ＵＥ＞
図２１に、ユーザ装置ＵＥの機能構成図を示す。図２１に示すように、ユーザ装置ＵＥは、ＤＬ信号受信部１０１、ＵＬ信号送信部１０２、ＲＲＣ処理部１０３、送信電力制御部１０４を備える。なお、図２１は、ユーザ装置ＵＥにおいて本発明に特に関連する機能部のみを示すものであり、ユーザ装置ＵＥは、少なくともＬＴＥに準拠した動作を行うための図示しない機能も有するものである。
【０１０９】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。また、ＤＬ信号受信部１０１は、セル選択及びセル再選択を実行する機能を含む。すなわち、ＤＬ信号受信部１０１は、システム情報に含まれる複数のシグナリング値のうちの１つのシグナリング値を選択し、当該シグナリング値に対応する最大送信電力を用いてセル選択又はセル再選択を実行する制御部が含まれる。当該制御部は、ＤＬ信号受信部１０１の外部に備えられていてもよい。
【０１１０】
ＲＲＣ処理部１０３は、本実施の形態で説明したＳＩＢ１、ＳＩＢ２、ＳＩＢ３、ＳＩＢ５等の受信、読み取りを行うとともに、図４を参照して説明した処理、及び、変形例におけるＮＳ値とｐ−Ｍａｘの決定の処理等を実施する。送信電力制御部１０４は、受信したａｄｄｉｔｉｏｎａｌＳｐｅｃｔｒｕｍＥｍｉｓｓｉｏｎ／ａｄｄｉｔｉｏｎａｌＳｐｅｃｔｒｕｍＥｍｉｓｓｉｏｎ２等、及び、決定した最大送信電力（ｐ−Ｍａｘ／ｐ−Ｍａｘ２等）に基づく送信電力の制御等を行う。
【０１１１】
図２１に示すユーザ装置ＵＥの構成は、全体をハードウェア回路（例：１つ又は複数のＩＣチップ）で実現してもよいし、一部をハードウェア回路で構成し、その他の部分をＣＰＵとプログラムとで実現してもよい。
【０１１２】
図２２は、ユーザ装置ＵＥのハードウェア（ＨＷ）構成の例を示す図である。図２２は、図２１よりも実装例に近い構成を示している。図２２に示すように、ＵＥは、無線信号に関する処理を行うＲＥ（Ｒａｄｉｏ  Ｅｑｕｉｐｍｅｎｔ）モジュール１５１と、ベースバンド信号処理を行うＢＢ（Ｂａｓｅ  Ｂａｎｄ）処理モジュール１５２と、上位レイヤ等の処理を行う装置制御モジュール１５３と、ＵＳＩＭカードにアクセスするインタフェースであるＵＳＩＭスロット１５４とを有する。
【０１１３】
ＲＥモジュール１５１は、ＢＢ処理モジュール１５２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、受信した無線信号に対して、周波数変換、Ａ／Ｄ（Ａｎａｌｏｇ  ｔｏ  Ｄｉｇｉｔａｌ）変換、復調等を行うことでデジタルベースバンド信号を生成し、ＢＢ処理モジュール１５２に渡す。ＲＥモジュール１５１は、例えば、図２１のＤＬ信号受信部１０１及びＵＬ信号送信部１０２における物理レイヤ等の機能を含む。
【０１１４】
ＢＢ処理モジュール１５２は、ＩＰパケットとデジタルベースバンド信号とを相互に変換する処理を行う。ＤＳＰ（Ｄｉｇｉｔａｌ  Ｓｉｇｎａｌ  Ｐｒｏｃｅｓｓｏｒ）１６２は、ＢＢ処理モジュール１５２における信号処理を行うプロセッサである。メモリ１７２は、ＤＳＰ１６２のワークエリアとして使用される。ＢＢ処理モジュール１５２は、例えば、図２１のＤＬ信号受信部１０１及びＵＬ信号送信部１０２におけるレイヤ２等の機能、ＲＲＣ処理部１０３及び送信電力制御部１０４を含む。なお、ＲＲＣ処理部１０３及び送信電力制御部１０４の機能の全部又は一部を装置制御モジュール１５３に含めることとしてもよい。
【０１１５】
装置制御モジュール１５３は、ＩＰレイヤのプロトコル処理、各種アプリケーションの処理等を行う。プロセッサ１６３は、装置制御モジュール１５３が行う処理を行うプロセッサである。メモリ１７３は、プロセッサ１６３のワークエリアとして使用される。また、プロセッサ１６３は、ＵＳＩＭスロット１５４を介してＵＳＩＭとの間でデータの読出し及び書込みを行う。
【０１１６】
＜基地局ｅＮＢ＞
図２３に、基地局ｅＮＢの機能構成図を示す。図２３に示すように、基地局ｅＮＢは、ＤＬ信号送信部２０１、ＵＬ信号受信部２０２、ＲＲＣ処理部２０３、送信電力制御部２０４を備える。なお、図２３は、基地局ｅＮＢにおいて本発明の実施の形態に特に関連する機能部のみを示すものであり、基地局ｅＮＢは、少なくともＬＴＥ方式に準拠した動作を行うための図示しない機能も有するものである。
【０１１７】
ＤＬ信号送信部２０１は、基地局ｅＮＢから送信されるべき上位のレイヤの情報から、物理レイヤの各種信号を生成し、送信する機能を含む。ＵＬ信号受信部２０２は、ユーザ装置ＵＥから各種の上り信号を受信し、受信した物理レイヤの信号からより上位のレイヤの情報を取得する機能を含む。
【０１１８】
ＲＲＣ処理部２０３は、本実施の形態で説明したＳＩＢ１、ＳＩＢ２、ＳＩＢ３、ＳＩＢ５等の作成、送信を行う。また、ＲＲＣ処理部２０３は、ユーザ装置ＵＥからＵＥ能力情報を受信し、保持する機能も有する。送信電力制御部２０４は、例えば、ユーザ装置ＵＥの最大送信電力を考慮して、ユーザ装置ＵＥに対するスケジューリングやＵＬ電力制御等を実施する。
【０１１９】
図２３に示す基地局ｅＮＢの構成は、全体をハードウェア回路（例：１つ又は複数のＩＣチップ）で実現してもよいし、一部をハードウェア回路で構成し、その他の部分をＣＰＵとプログラムとで実現してもよい。
【０１２０】
図２４は、基地局ｅＮＢのハードウェア（ＨＷ）構成の例を示す図である。図２４は、図２３よりも実装例に近い構成を示している。図２４に示すように、基地局ｅＮＢは、無線信号に関する処理を行うＲＥモジュール２５１と、ベースバンド信号処理を行うＢＢ処理モジュール２５２と、上位レイヤ等の処理を行う装置制御モジュール２５３と、ネットワークと接続するためのインタフェースである通信ＩＦ２５４とを有する。
【０１２１】
ＲＥモジュール２５１は、ＢＢ処理モジュール２５２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール２５２に渡す。ＲＥモジュール２５１は、例えば、図２３のＤＬ信号送信部２０１及びＵＬ信号受信部２０２における物理レイヤ等の機能を含む。
【０１２２】
ＢＢ処理モジュール２５２は、ＩＰパケットとデジタルベースバンド信号とを相互に変換する処理を行う。ＤＳＰ２６２は、ＢＢ処理モジュール２５２における信号処理を行うプロセッサである。メモリ２７２は、ＤＳＰ２５２のワークエリアとして使用される。ＢＢ処理モジュール２５２は、例えば、図２３のＤＬ信号送信部２０１及びＵＬ信号受信部２０２におけるレイヤ２等の機能、ＲＲＣ処理部２０３及び送信電力制御部２０４を含む。なお、ＲＲＣ処理部２０３及び送信電力制御部２０４の機能の全部又は一部を装置制御モジュール２５３に含めることとしてもよい。
【０１２３】
装置制御モジュール２５３は、ＩＰレイヤのプロトコル処理、ＯＡＭ処理等を行う。プロセッサ２６３は、装置制御モジュール２５３が行う処理を行うプロセッサである。メモリ２７３は、プロセッサ２６３のワークエリアとして使用される。補助記憶装置２８３は、例えばＨＤＤ等であり、基地局ｅＮＢ自身が動作するための各種設定情報等が格納される。
【０１２４】
なお、図２１〜図２４に示す装置の構成（機能区分）は一例に過ぎない。本実施の形態（変形例を含む）で説明する処理を実現できるのであれば、その実装方法（具体的な機能部の配置等）は、特定の実装方法に限定されない。
【０１２５】
以上、説明したように、本実施の形態によれば、基地局とユーザ装置とを備える移動通信システムにおける前記ユーザ装置であって、前記基地局から、第１の最大送信電力値と第２の最大送信電力値を含む第１のシステム情報と、第１のシグナリング値と第２のシグナリング値を含む第２のシステム情報を受信する受信手段と、前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定する制御手段とを備えるユーザ装置が提供される。
【０１２６】
上記の構成により、例えば、新たな送信条件に関するシステム情報が報知されるセルにおいて、新たな送信条件を理解できるユーザ装置のみならず、これを理解できないユーザ装置も適切な最大送信電力を使用して送信を行うことを可能とする技術が提供される。
【０１２７】
前記制御手段は、例えば、前記第２のシステム情報に含まれる前記第２のシグナリング値が、前記ユーザ装置の在圏するセルにおける送信条件として規定されている値であると判定しない場合に、前記第１の最大送信電力値を前記セルにおいて使用する最大送信電力値として決定する。この構成により、例えば、新たな送信条件に関する第２のシグナリング値を解釈できない場合でも、ユーザ装置は、適切に最大送信電力値を決定し、当該セルに在圏して通信を行うことができる。
【０１２８】
例えば、前記ユーザ装置が前記第１の最大送信電力値を前記基地局から受信しない場合には、当該ユーザ装置の能力に応じた最大送信電力値を前記セルにおいて使用する最大送信電力値として決定することとしてもよい。この構成により、新たな送信条件に関する第２のシグナリング値を解釈できず、なおかつ、第１の最大送信電力値を受信しない場合でも、ユーザ装置は、適切に最大送信電力値を決定し、当該セルに在圏して通信を行うことができる。
【０１２９】
前記送信条件は、例えばＡ−ＭＰＲの適用可否を含む条件である。この構成により、例えば、ユーザ装置を３ＧＰＰ  ＴＳ３６．１０１で規定されると考えられる送信条件（例：非特許文献１のＴａｂｌｅ  ６．２．４−１に新たなＮＳが追加されたテーブル）に適合させて動作させることができる。なお、例えば、前記第１のシステム情報はＳＩＢ１であり、前記第２のシステム情報はＳＩＢ１又はＳＩＢ２である。この構成により、ユーザ装置は的確にシグナリング値を受信できる。
【０１３０】
前記制御手段は、前記第２のシステム情報に含まれる複数のシグナリング値の中で、前記ユーザ装置が適用可能なシグナリング値のうち、優先度の最も高いシグナリング値を前記第２のシグナリング値として選択し、当該第２のシグナリング値に対応する前記第２の最大送信電力値を前記セルにおいて使用する最大送信電力値として決定することとしてもよい。この構成により、複数のシグナリング値の中から適切なシグナリング値を選定できる。
【０１３１】
また、本実施の形態により、基地局とユーザ装置とを備える移動通信システムにおける前記ユーザ装置であって、前記基地局から、複数のシグナリング値と、当該複数のシグナリング値のそれぞれに対応する複数の最大送信電力値とを含むシステム情報を受信する受信手段と、前記システム情報に含まれる複数のシグナリング値のうちの１つのシグナリング値を選択し、当該シグナリング値に対応する最大送信電力を用いてセル選択又はセル再選択を実行する制御手段とを備えることを特徴とするユーザ装置が提供される。
【０１３２】
また、本実施の形態により、基地局とユーザ装置とを備える移動通信システムにおける前記ユーザ装置であって、前記基地局から、複数のシグナリング値と、当該複数のシグナリング値のそれぞれに対応する複数の最大送信電力値とを含むシステム情報を受信する受信手段と、前記システム情報に含まれる複数のシグナリング値のうち、前記ユーザ装置が適用可能であり、かつ、優先度の最も高い１つのシグナリング値を選択し、当該シグナリング値に対応する最大送信電力を用いて送信を行う制御手段とを備えることを特徴とするユーザ装置が提供される。
【０１３３】
上記構成により、例えば、新たな送信条件に関するシステム情報が報知されるセルにおいて、新たな送信条件を理解できるユーザ装置のみならず、これを理解できないユーザ装置も適切な最大送信電力を使用して送信を行うことを可能とする技術が提供される。
【０１３４】
また、上記構成により、新たな送信条件に関するシステム情報が報知されるセルが周辺セルとして存在する場合において、新たな送信条件を理解できるユーザ装置のみならず、これを理解できないユーザ装置も適切な最大送信電力を適用してセル再選択を実施でき、結果として、適切な最大送信電力を使用して遷移先のセルで送信を行うことが可能となる。
【０１３５】
また、本実施の形態により、基地局とユーザ装置とを備える移動通信システムであって、前記基地局は、第１の最大送信電力値と第２の最大送信電力値を含む第１のシステム情報と、第１のシグナリング値と第２のシグナリング値を含む第２のシステム情報を送信するための送信手段を備え、前記ユーザ装置は、前記基地局から、前記第１のシステム情報と、前記第２のシステム情報を受信する受信手段と、前記第２のシステム情報に含まれる前記第２のシグナリング値が、前記ユーザ装置の在圏するセルにおける送信条件として規定されている値であると判定した場合に、前記第２のシグナリング値に対応する前記第２の最大送信電力値を前記セルにおいて使用する最大送信電力値として決定する制御手段と、を備える移動通信システムが提供される。
【０１３６】
上記構成により、例えば、新たな送信条件に関するシステム情報が報知されるセルにおいて、新たな送信条件を理解できるユーザ装置のみならず、これを理解できないユーザ装置も適切な最大送信電力を使用して送信を行うことを可能とする技術が提供される。
【０１３７】
本実施の形態で説明したユーザ装置ＵＥは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１３８】
本実施の形態で説明した基地局ｅＮＢは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１３９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１４０】
本発明は上記実施形態に限定されず、本発明の精神から逸脱することなく、様々な変形例、修正例、代替例、置換例等が本発明に包含される。
【０１４１】
本特許出願は２０１４年１０月７日に出願した日本国特許出願第２０１４−２０６２３１号、及び２０１５年５月２８日に出願した日本国特許出願第２０１５−１０９１４５号に基づきその優先権を主張するものであり、日本国特許出願第２０１４−２０６２３１号及び日本国特許出願第２０１５−１０９１４５号の全内容を本願に援用する。
【符号の説明】
【０１４２】
ｅＮＢ  基地局
ＵＥ  ユーザ装置
１０１  ＤＬ信号受信部
１０２  ＵＬ信号送信部
１０３  ＲＲＣ処理部
１０４  送信電力制御部
１５１  ＲＥモジュール
１５２  ＢＢ処理モジュール
１５３  装置制御モジュール
１５４  ＵＳＩＭスロット
２０１  ＤＬ信号送信部
２０２  ＵＬ信号受信部
２０３  ＲＲＣ処理部
２０４  送信電力制御部
２５１  ＲＥモジュール
２５２  ＢＢ処理モジュール
２５３  装置制御モジュール
２５４  通信ＩＦ
【図１】
2016056556.tif 000003
【図２】
2016056556.tif 000004
【図３】
2016056556.tif 000005
【図４】
2016056556.tif 000006
【図５Ａ】
2016056556.tif 000007
【図５Ｂ】
2016056556.tif 000008
【図６Ａ】
2016056556.tif 000009
【図６Ｂ】
2016056556.tif 000010
【図７Ａ】
2016056556.tif 000011
【図７Ｂ】
2016056556.tif 000012
【図８】
2016056556.tif 000013
【図９】
2016056556.tif 000014
【図１０】
2016056556.tif 000015
【図１１】
2016056556.tif 000016
【図１２】
2016056556.tif 000017
【図１３】
2016056556.tif 000018
【図１４】
2016056556.tif 000019
【図１５】
2016056556.tif 000020
【図１６】
2016056556.tif 000021
【図１７】
2016056556.tif 000022
【図１８】
2016056556.tif 000023
【図１９】
2016056556.tif 000024
【図２０】
2016056556.tif 000025
【図２１】
2016056556.tif 000026
【図２２】
2016056556.tif 000027
【図２３】
2016056556.tif 000028
【図２４】
2016056556.tif 000029
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
基地局とユーザ装置とを備える移動通信システムにおける前記ユーザ装置であって、
前記基地局から、第１の最大送信電力値と第２の最大送信電力値、及び、第１のシグナリング値と第２のシグナリング値を含むシステム情報を受信する受信手段と、
前記ユーザ装置が前記システム情報に含まれる前記第２のシグナリング値をサポートしている場合に、前記第２のシグナリング値に対応する前記第２の最大送信電力値を前記ユーザ装置が在圏するセルにおいて使用する最大送信電力値として決定する制御手段と
を備えることを特徴とするユーザ装置。
【請求項２】
前記制御手段は、前記ユーザ装置が前記システム情報に含まれる前記第２のシグナリング値をサポートしていない場合に、前記第１の最大送信電力値を前記セルにおいて使用する最大送信電力値として決定する
ことを特徴とする請求項１に記載のユーザ装置。
【請求項３】
前記システム情報はＳＩＢ１であることを特徴とする請求項１又は２に記載のユーザ装置。
【請求項４】
前記制御手段は、前記システム情報に含まれる複数のシグナリング値の中で、前記ユーザ装置が適用可能なシグナリング値のうち、優先度の最も高いシグナリング値を前記第２のシグナリング値として選択し、当該第２のシグナリング値に対応する前記第２の最大送信電力値を前記セルにおいて使用する最大送信電力値として決定する
ことを特徴とする請求項１ないし３のうちいずれか１項に記載のユーザ装置。
【請求項５】
基地局とユーザ装置とを備える移動通信システムにおける前記ユーザ装置であって、
前記基地局から、複数のシグナリング値と、当該複数のシグナリング値のそれぞれに対応する複数の最大送信電力値とを含むシステム情報を受信する受信手段と、
前記システム情報に含まれる複数のシグナリング値のうちの１つのシグナリング値を選択し、当該シグナリング値に対応する最大送信電力を用いてセル選択又はセル再選択を実行する制御手段と
を備えることを特徴とするユーザ装置。
【請求項６】
基地局とユーザ装置とを備える移動通信システムであって、
前記基地局は、
第１の最大送信電力値と第２の最大送信電力値、及び、第１のシグナリング値と第２のシグナリング値を含むシステム情報を送信するための送信手段を備え、
前記ユーザ装置は、
前記基地局から、前記システム情報を受信する受信手段と、
前記ユーザ装置が前記システム情報に含まれる前記第２のシグナリング値をサポートしている場合に、前記第２のシグナリング値に対応する前記第２の最大送信電力値を前記ユーザ装置が在圏するセルにおいて使用する最大送信電力値として決定する制御手段と、を備える
ことを特徴とする移動通信システム。
【請求項７】
基地局とユーザ装置とを備える移動通信システムにおける前記ユーザ装置が実行する最大送信電力決定方法であって、
前記基地局から、第１の最大送信電力値と第２の最大送信電力値、及び、第１のシグナリング値と第２のシグナリング値を含むシステム情報を受信するステップと、
前記ユーザ装置が前記システム情報に含まれる前記第２のシグナリング値をサポートしている場合に、前記第２のシグナリング値に対応する前記第２の最大送信電力値を前記ユーザ装置が在圏するセルにおいて使用する最大送信電力値として決定するステップと
を備えることを特徴とする最大送信電力決定方法。
【請求項８】
基地局とユーザ装置とを備える移動通信システムにおいて実行される最大送信電力決定方法であって、
前記基地局が、第１の最大送信電力値と第２の最大送信電力値、及び、第１のシグナリング値と第２のシグナリング値を含むシステム情報を送信するステップと、
前記ユーザ装置が、前記基地局から、前記システム情報を受信するステップと、
前記ユーザ装置が、前記ユーザ装置が前記システム情報に含まれる前記第２のシグナリング値をサポートしている場合に、前記第２のシグナリング値に対応する前記第２の最大送信電力値を前記ユーザ装置が在圏するセルにおいて使用する最大送信電力値として決定するステップと、
を備えることを特徴とする最大送信電力決定方法。
【国際調査報告】
2016056556.tif 000030
2016056556.tif 000031
2016056556.tif 000032
2016056556.tif 000033